(57)【要約】  カテーテルからの液体の逆流を防止し、コネクタ内における良好な水密シール性を確保する。この医用コネクタ器具は、カテーテル（２）と、先端部でカテーテル（２）の基部を支持するカテーテルハブ（３０）と、ハブ（３０）内に配置された逆止弁（４５）と、ハブ（３０）内に差し込まれる雄ルアー部（１５）を有する雄コネクタ（１０）と、を備えている。雄コネクタ（１０）は、さらに、ルアー部（１５）の先端に該ルアー部よりも細い先端管（１６）を有し、雄コネクタ（１０）がカテーテルハブ（３０）に接続されていない状態では、逆止弁（４５）により液体の逆流が防止される。一方、雄コネクタ（１０）がカテーテルハブ（３０）に接続された状態では、先端管（１６）が中央孔（４５ｈ）に挿入され、該中央孔（４５ｈ）が拡径することで液体の流通が可能となり、かつ、該逆止弁（４５ｈ）により、先端管（１６）の外周面と前記ハブ（３０）の内周面との間が水密にシールされる。
2010010870.tif 000002
【特許請求の範囲】
【請求項１】
患者の体に刺し込まれるカテーテルと、
全体として略筒状であり、基端部が開口するとともに先端部で前記カテーテルの基部を支持するカテーテルハブと、
拡径可能な中央孔を有し、前記カテーテルハブ内に配置された逆止弁と、
前記カテーテルハブ内に前記開口側から差し込まれる雄ルアー部を有し、前記カテーテルハブに接続される雄コネクタと、
を備える医用コネクタ器具であって、
前記雄コネクタは、さらに、前記雄ルアー部の先端に該雄ルアー部よりも細い先端管を有し、
前記雄コネクタが前記カテーテルハブに接続されていない状態では、前記逆止弁の中央孔が縮径して前記カテーテル側からの液体の逆流を防止し、
前記雄コネクタが前記カテーテルハブに接続された状態では、前記先端管が前記中央孔に挿入されて該中央孔が拡径することで液体の流通が可能となり、かつ、前記逆止弁により、前記先端管の外周面と前記カテーテルハブの内周面との間が水密にシールされる、医用コネクタ器具。
【請求項２】
前記先端管が先細り形状である、請求項１に記載の医用コネクタ器具。
【請求項３】
前記雄ルアー部と前記先端管とが別部材で構成されている、請求項１又は２に記載の医用コネクタ器具。
【請求項４】
前記逆止弁は、
前記先端管を前記中央孔にガイドするテーパ面をさらに有する、請求項１〜３のいずれか１項に記載の医用コネクタ器具。
【請求項５】
前記逆止弁の材質がゴムである、請求項１〜４のいずれか１項に記載の医用コネクタ器具。
【請求項６】
前記逆止弁の形状が全体として有底筒状であり、
該逆止弁は、その底部が前記カテーテルハブの内孔の入口側に位置するように配置されている、請求項１に記載の医用コネクタ器具。
【請求項７】
前記雄コネクタを前記カテーテルハブに固定する固定手段をさらに備え、
該固定手段は、
前記カテーテルハブの外周面に形成された複数の係止螺旋と、
前記雄コネクタに形成された、前記各係止螺旋と係合する複数の突起と、
を有し、
前記雄コネクタを前記カテーテルハブに差し込み、該雄コネクタをその軸線回りに１８０°以下の範囲内で回転させることにより、前記突起と前記係止螺旋とが係合し、前記雄コネクタが前記カテーテルハブに接続される、請求項１〜６のいずれか１項に記載の医用コネクタ器具。
【請求項８】
前記雄コネクタが前記カテーテルハブに接続された状態で、前記雄ルアー部の外周面が前記カテーテルハブの内周面に密着する、請求項７に記載の医用コネクタ器具。
【請求項９】
前記雄コネクタを前記カテーテルハブに固定する固定手段をさらに備え、
該固定手段は、
前記雄コネクタ及びカテーテルハブのうち一方に形成された、略径方向外側に延び出した係止ピンと、
前記雄コネクタ及びカテーテルハブのうち他方の筒状部に形成された、前記係止ピンが内部をスライドする略螺旋状の係止溝と、
を有し、
前記係止ピンが該溝内の奥で係止することで前記雄コネクタが前記カテーテルハブに接続される、
請求項１〜６のいずれか１項に記載の医用コネクタ器具。
【請求項１０】
前記固定手段においては、
前記略螺旋状の係止溝の周壁の一部に、片持ち梁状の延出部が設けられており、
前記係止ピンを前記溝内の奥へと移動させていくと、該係止ピンと該延出部の先端とが当接し、
前記係止ピンを更に奥へと移動させると、前記係止ピンに押されて前記延出部が弾性的に撓み、
次いで前記係止ピンを更に奥に移動させると、前記係止ピンが前記延長部の先端を越えて溝の最奥部へと移動し、その場で係止される、
請求項９に記載の医用コネクタ器具。
【請求項１１】
前記略螺旋状の係止溝内において、前記延長部の先端に対向する位置に、該延長部側に向かって突出した突起部が形成されており、
前記延長部の先端と該突起部とが協働して前記係止ピンを係止する、請求項９に記載の医用コネクタ器具。
【請求項１２】
前記固定手段が、さらに、
前記雄コネクタ及びカテーテルハブのうち一方の端面に形成された窪みと、
前記雄コネクタ及びカテーテルハブのうち他方に形成され、前記雄コネクタとカテーテルハブとが接続された状態で前記窪みに係止する突起と、
を有する、
請求項９〜１１のいずれか１項に記載の医用コネクタ器具。
【請求項１３】
前記係止ピンの先端と、前記雄コネクタ及びカテーテルハブのうち一方の一部とを軸方向につなぎ係合孔を形成する接続部をさらに有し、
前記係合孔には、前記雄コネクタ及びカテーテルハブのうち他方の前記筒状部の一部が入り込んで係合する、請求項９または１０に記載の医用コネクタ器具。
【請求項１４】
前記係止ピンが、前記雄コネクタ及びカテーテルハブのうち一方の外周に２つ形成されており、
該２つの係止ピンのうち一方にのみ前記接続部が設けられている、請求項１３に記載の医用コネクタ器具。
【請求項１５】
前記固定手段が、さらに、
前記係合孔内に形成された突起と、
前記雄コネクタ及びカテーテルハブのうち他方の前記筒状部に形成され、前記突起が係合する窪みと、
を有する、請求項１３に記載の医用コネクタ器具。
【発明の詳細な説明】
【技術分野】
【０００１】
本発明は、例えば留置針に薬液チューブを接続する医用コネクタ器具に関する。特には、カテーテルからの液体の逆流を防止すると共に、コネクタ内における良好な水密シール性も確保できる医用コネクタ器具に関する。
【背景技術】
【０００２】
従来、医療用の透視撮像装置としては、ＣＴ（Computed Tomography）スキャナ、ＭＲＩ（Magnetic Resonance Imaging）装置、ＰＥＴ（Positron
Emission Tomography）装置、超音波診断装置、ＣＴアンギオ装置、ＭＲアンギオ装置等がある。
このような装置を使用する場合、例えば鮮明な画像を得ることなどを目的として患者の体内に造影剤や生理食塩水などが注入されることがある。【０００３】
薬液を患者に注入する場合、例えば、まず、患者の腕の血管に留置針のカテーテルが刺し込まれ、シリンジ内の薬液を患者に注入できる状態とする。次いで、シリンジのピストンを押し込むことで、シリンジ内の薬液が押し出され、薬液がチューブやカテーテルを通じて患者の体内へと注入される。なお、このような薬液の注入を自動で行う自動注入器も従来公知である。【０００４】
留置針は、一般に、患者の体に刺し込まれるカテーテルと、該カテーテルを支持するカテーテルハブとを備えている。このカテーテルハブと、薬液チューブとを接続する構造としては例えばルアーロック方式（例えば特許文献１参照）が知られている。
【先行技術文献】
【特許文献】
【０００５】
【特許文献１】実開昭６２−１１６７４０号公報
【発明の概要】
【発明が解決しようとする課題】
【０００６】
ところで、上記のように例えば造影剤を患者に注入する場合、通常の点滴などに比べて薬液は高圧となる。従って、この用途に用いられるコネクタには、薬液が高圧となっても漏れが生じない高い水密シール性が求められる。
また一方では、留置針においては、カテーテルを患者の血管に刺したときに、血液がカーテルを通じて逆流しないようになっていることが望ましい。【０００７】
本発明は上記課題に鑑みてなされたものであり、その目的は、カテーテルからの液体の逆流を防止すると共に、コネクタ内における良好な水密シール性も確保できる医用コネクタ器具を提供することにある。
【課題を解決するための手段】
【０００８】
上記目的を達成するため、本発明の医用コネクタ器具は、
患者の体に刺し込まれるカテーテルと、
全体として略筒状であり、基端部が開口するとともに先端部で前記カテーテルの基部を支持するカテーテルハブと、
拡径可能な中央孔を有し、前記カテーテルハブ内に配置された逆止弁と、
前記カテーテルハブ内に前記開口側から差し込まれる雄ルアー部を有し、前記カテーテルハブに接続される雄コネクタと、
を備える医用コネクタ器具であって、
前記雄コネクタは、さらに、前記雄ルアー部の先端に該雄ルアー部よりも細い先端管を有し、
前記雄コネクタが前記カテーテルハブに接続されていない状態では、前記逆止弁の中央孔が縮径して前記カテーテル側からの液体の逆流を防止し、
前記雄コネクタが前記カテーテルハブに接続された状態では、前記先端管が前記中央孔に挿入されて該中央孔が拡径することで液体の流通が可能となり、かつ、前記逆止弁により、前記先端管の外周面と前記カテーテルハブの内周面との間が水密にシールされる。【０００９】
このような構成によれば、カテーテルハブ内に逆止弁が設けられているので、雄コネクタがカテーテルハブに接続されていない状態で、カテーテルからの薬液が逆流して漏出することがない。また、雄コネクタがカテーテルハブに接続された状態では、逆止弁がシール部材として機能するので、十分な水密シール性が確保される。【００１０】
本発明においては、雄コネクタの先端管が先細り形状であってもよい。また、前記雄ルアー部と前記先端管とが別部材で構成されていてもよい。【００１１】
逆止弁が、前記先端管を前記中央孔にガイドするテーパ面をさらに有する場合、雄コネクタの先端管を該中央孔に挿入しやすくなる点で有利である。【００１２】
また、本発明の医用コネクタ器具は、
前記雄コネクタを前記カテーテルハブに固定する固定手段をさらに備え、
該固定手段は、
前記カテーテルハブの外周面に形成された複数の係止螺旋と、
前記雄コネクタに形成された、前記各係止螺旋と係合する複数の突起と、
を有し、
前記雄コネクタを前記カテーテルハブに差し込み、該雄コネクタをその軸線回りに１８０°以下の範囲内で回転させることにより、前記突起と前記係止螺旋とが係合し、前記雄コネクタが前記カテーテルハブに接続される、ものであってもよい。【００１３】
また、本発明の他の医用コネクタ器具は、
前記雄コネクタを前記カテーテルハブに固定する固定手段をさらに備え、
該固定手段は、
前記雄コネクタ及びカテーテルハブのうち一方に形成された、略径方向外側に延び出した係止ピンと、
前記雄コネクタ及びカテーテルハブのうち他方の筒状部に形成された、前記係止ピンが内部をスライドする略螺旋状の係止溝と、
を有し、
前記係止ピンが該溝内の奥で係止することで前記カテーテルハブと前記雄コネクタとが固定される。【００１４】
また、本発明の他の医用コネクタ機器は、
前記係止ピンの先端と、前記雄コネクタ及びカテーテルハブのうち一方の一部とを軸方向につなぎ係合孔を形成する接続部をさらに有し、前記係合孔には、前記雄コネクタ及びカテーテルハブのうち他方の前記筒状部の一部が入り込んで係合する。
このような構成によれば、例えば雄コネクタの筒状部の一部が係合孔に係合した状態で、雄コネクタとカテーテルハブとが接続されるので、接続の信頼性がより向上する。【００１５】
また、本発明の他の態様では、
前記係止ピンが、前記雄コネクタ及びカテーテルハブのうち一方の外周に２つ形成されており、該２つの係止ピンのうち一方にのみ前記接続部が設けられている。
このような構成によれば、係止ピンのうち一方にのみ前記接続部が設けられ、非対称形状となっているので、例えば、この接続部を目印としてカテーテルハブの上下（一例）を区別することができる。【００１６】
また、本発明の他の態様では、
前記固定手段が、さらに、
前記係合孔内に形成された突起と、
前記雄コネクタ及びカテーテルハブのうち他方の前記筒状部に形成された、該突起が係合する窪みと、を有する。【００１７】
このように、係止溝と係止ピンとの係合作用だけでなく、突起（例えばリブ）と窪みとの係合作用も併用して、雄コネクタとカテーテルハブとが固定される構成の場合、両部材の固定をより高信頼に行うことができる。
【発明の効果】
【００１８】
上述したように、本発明によれば、カテーテルハブ内に配置された逆止弁の機能により、カテーテルからの液体の逆流を防止すると共にコネクタ内における良好な水密シール性も確保できる医用コネクタ器具が提供される。
【図面の簡単な説明】
【００１９】
【図１】本発明の一形態の医用コネクタ器具の断面図である。
【図２】図１のコネクタ器具のカテーテルハブの断面図である。
【図３】図１のコネクタ器具の雄コネクタの断面図である。
【図４】カテーテルハブ基端の係止螺旋を示す図である。
【図５】逆止弁の他の例を示す断面図である。
【図６】逆止弁のさらに他の例を示す断面図である。
【図７Ａ】雄コネクタの他の例を示す断面図である。
【図７Ｂ】カテーテルハブの他の例を示す断面図である。
【図８】第２の実施形態の医用コネクタ器具の外観斜視図である（接続状態）。
【図９】図８のコネクタ器具の接続前の状態を示す斜視図である。
【図１０】図８の状態に対応する平面図（ａ）及び側面図（ｂ）である。
【図１１】図９の状態に対応する平面図である。
【図１２】カテーテルハブを基端側から見た背面図である。
【図１３】雄コネクタの雄ルアー部を先端側から見た正面図である
【図１４】第２の実施形態の医用コネクタ器具の他の例を示す平面図である。
【図１５】本発明のさらに他の例を示す平面図である。
【図１６】他の実施形態のコネクタ器具の接続前の状態を示す斜視図である
【図１７】図１６の雄コネクタのみを示す斜視図である。
【図１８】図１６のカテーテルハブのみを示す斜視図である。
【図１９】雄コネクタの側面図である。
【図２０】カテーテルハブの側面図である。
【図２１】係止溝の内壁の角度を示すための図である。
【図２２】他の実施形態のコネクタ器具の接続前の状態を示す斜視図である。
【図２３】図２２のコネクタ器具の平面図（接続状態）である。
【図２４】図２２のコネクタ器具の断面図（接続状態）である。
【図２５】カテーテルハブの断面図および側面図である。
【図２６】カテーテルハブを示す図である。
【図２７】雄コネクタを示す図である。
【図２８】コネクタ器具の接続について説明する図である。
【発明を実施するための形態】
【００２０】
以下、図面を参照して本発明の実施の一形態を説明する。
（第１の実施形態）
図１は、本発明の一形態の医用コネクタ器具の断面図であり、雄コネクタがカテーテルハブに接続された状態を示している。なお、以下の説明では、図面の記載に合わせて、「上下」、「左右」といった方向を示す語句を用いるが、これらは本発明を何ら限定するものではない。
【００２１】
図１に示すように、この医用コネクタ器具１は、略筒状のカテーテルハブ３０と、それに接続される雄コネクタ１０とを備えている。
【００２２】
カテーテルハブ３０は、図２にも示すように、カテーテル２の基端を支持するものであり、一例として樹脂製である。カテーテルハブ３０は内孔を有しており、この内孔は、基端側で開口し、先端側に通じている。カテーテルハブ３０の先端には、カテーテル５の基端部を支持するための筒部３３が形成されている。カテーテルハブ３０の内部には、基端の開口部から先端に向かって徐々にすぼまる雌ルアー面（テーパ面）３２が形成されている。
【００２３】
カテーテルハブ３０内には、また、長手方向の中央部よりもやや先端側に逆止弁４５が設けられている。この逆止弁４５の材質は、例えばイソプレンゴム等の弾性材料である。この例では、逆止弁４５は、カテーテルハブ３０の半径方向に拡がり流路を塞ぐ円板状の弁壁４５aと、その外周縁から基端側（図の下側）に向かって延びる筒部４５ｂと、を有している。筒部４５ｂの外周面は、カテーテルハブ内の雌ルアー面３２に固定されている。固定する方法は特に限定されるものではないが、例えば、接着剤による固定や超音波溶着による固定を利用することができる。
なお、逆止弁４５の他の配置例については他の図面を参照して後述する。
【００２４】
弁壁４５ａの中心には、１つの中央孔４５ｈが形成されている。中央孔４５ｈは、拡縮径可能であり、図２に示すように雄コネクタ１０が接続されていない状態では縮径し、これにより、カテーテル２側からの液体（例えば患者の血液）の逆流が防止される。なお、中央孔４５ｈは、例えば、一直線状、十字状、Ｙ字状等の切込みであってもよい。
【００２５】
カテーテル２は、従来公知のものであり、一例として柔軟性を有し、その先端側が患者の血管等に刺し込まれる。
なお、カテーテルハブ３０にカテーテル２が取り付けられたものが留置針と呼ばれる。また、このような柔軟なカテーテル２を患者の血管等にスムーズに刺せるように、カテーテル２の内側に硬質な内針を配した二重針構造が採用される。二重針構造自体は従来公知であり、例えば特開２００７−２７５３０４にも開示されている。一般的な二重針構造においては、カテーテル２（外針）の内側に金属製の内針がスライド自在に挿入されており、初期状態では、内針の先端がカテーテル２の先端よりも僅かに突出している。このような二重構造となっていることで針全体としての剛性が確保され、患者の血管等への穿刺がスムーズに実施できる。穿刺した後、内針を引き抜くことで、外針であるカテーテル２のみが留置されることとなる。このように内針を引き抜くための機構に関しても従来種々提案されている。本実施形態においては、例えば、内針の基端にワイヤーが接続されており、それを引くことで内針が抜去される機構や、又は、スプリングの付勢力を利用して内針が抜去される機構を利用することができる。
【００２６】
雄コネクタ１０（図３参照）は、一例として樹脂成形品であり、薬液が通る液路１１を有している。雄コネクタ１０は、基端側に設けられた直管状の胴部１３と、該胴部１３から先端側に向かって延び出した雄ルアー部１５と、を有している。
胴部１３の左右両側には、該雄コネクタ１０をカテーテルハブ３０に接続するための一対の係止爪１８が形成されている。
【００２７】
液路１１の入り口部分には薬液チューブが接続され、この薬液チューブを通じて不図示のシリンジから所定の薬液が供給される。
【００２８】
雄ルアー部１５の外周面は、カテーテルハブ３０の雌ルアー面３２に対応する、先端に向かってすぼまるテーパ面となっている。テーパは、一例として６°程度であってもよい。
雄ルアー部１５の先端には端面１５ａが形成されており、この端面１５ａは、雄コネクタ１０がカテーテルハブ３０に接続された状態（図１参照）で、逆止弁４５の手前となる位置に形成されている。
【００２９】
再び図３を参照すると、雄ルアー部１５の先端の端面１５ａには、雄ルアー部１５よりも細い中空の先端管１６が形成されている。先端管１６は、後述するように、逆止弁の中央孔４５ｈに挿入される部位である。したがって、挿入を容易にするために、先端管１６の外周面は先細り形状に形成されていてもよい。
【００３０】
一対の係止爪１８は、雄コネクタ１０の胴部１３から径方向外側に張り出した基部１８ａと、該基部１８ａの端部でその中腹部が支持されたレバー１８ｂと、を有している。レバー１８ｂの先端内側には、径方向内側に向かって突出した突起１９が形成されている。
【００３１】
これらの各突起１９は、図４に示すような、カテーテルハブ３０の外周面の基端部に形成された２つの係止螺旋３９にそれぞれ係止される。各係止螺旋３９は、カテーテルハブ３０の外周面に沿って形成されており、外周面上のほぼ１８０°の位置を占めるように対向配置されている。
【００３２】
次に、以上のように構成された本実施形態の医用コネクタ器具１の使用方法について説明する。
【００３３】
まず、カテーテル２を患者の血管に刺し込む。具体的には、従来の穿刺方法と同じようにカテーテル２を二重針の状態で患者の血管に刺すと共に、次いで、カテーテル内の内針を引き抜くことで、留置針（カテーテル２及びそれを支持するカテーテルハブ３０）のみが患者の腕に残った状態となる。なお、この状態では、カテーテルハブ３０内の逆止弁の中央孔４５ｈが閉じているため、血液等が外部に漏出することはない。
【００３４】
次いで、カテーテルハブ３０に対して雄コネクタ１０を接続する。
一例として、カテーテルハブ３０を一方の手で摘んで押さえつつ、反対側の手でコネクタ１０を摘み、雄コネクタ１０の雄ルアー部１５をカテーテルハブ３０内に差し込む。そして、雄コネクタ１０をカテーテルハブ３０に対してねじ込むことで（１８０°以下の回転角度）、雄コネクタの各突起１９がカテーテルハブ外周面の各係止螺旋３９に係止され、雄コネクタ１０とハブ３０とが固定される。
【００３５】
雄コネクタ１０がカテーテルハブ３０内に差し込まれることにより、雄コネクタの先端管１６が逆止弁の中央孔４５ｈを押し拡げながら貫通し（図１参照）、これにより、雄コネクタ１０側からカテーテル２側へと薬液を供給可能となる。
【００３６】
また、図１の接続状態では、弾性体である逆止弁４５が、雄コネクタの先端管１６の外周面とカテーテルハブ３０の内周面との間で圧縮された状態となっているので、この逆止弁４５がシール部材として機能する。
【００３７】
また、本実施形態の構成では、雄コネクタ１０がねじ込み式でカテーテルハブ３０に接続されるようになっており、図１の接続状態では、雄コネクタ１０の雄ルアー面がカテーテルハブの雌ルアー面に押し付けられる。これにより両面が密着するので、より十分な水密シール性が確保される。
【００３８】
なお、図１の例では、雄コネクタ１０をカテーテルハブ３０に接続した状態で、雄コネクタの先端管１６の先端が逆止弁４５の端面より突出しているが、これに限定されるものではない。
【００３９】
患者に対して造影剤等を注入するには、図１のように雄コネクタ１０がカテーテルハブ３０に接続された状態で、不図示のインジェクタ（一例）を動作させればよい。これにより、シリンジ内の造影剤等が、薬液チューブ（不図示）を介して雄コネクタ１０に送られ、その内部を通って先端管１６から送出され、次いで、カテーテルハブ３０内に流入し、カテーテル２を通じて患者の体内へと注入される。
【００４０】
一連の注入工程が完了した後、雄コネクタ１０とカテーテルハブ３０とを一緒に引いてカテーテル５を患者の体から抜いてもよいし、又は、まず雄コネクタ１０をハブ３０から外してから雄コネクタ１０を引いてカテーテル５を抜いてもよい。雄コネクタ１０を先に外す場合であっても、本実施形態の構成によれば、カテーテルハブ３０内に逆止弁４５が設けられているので、血液等が漏出することはない。
【００４１】
以上説明したように、本実施形態の医用コネクタ器具１によれば、雄コネクタ１０を接続していない状態では、逆止弁４５の機能によりカテーテル２からの血液の逆流が防止され、一方、雄コネクタ１０を接続した状態では、逆止弁４５がシール部材として機能するので良好な水密シール性が確保される。
【００４２】
特に、逆止弁４５がシール部材として兼用されるので、水密シールのためのＯリング等を省くことができ、構成の簡素化にも有利である。
【００４３】
以上、本発明の一実施形態について説明したが、本発明に上記に限定されるものではない。
例えば、図４では２つの係止螺旋３９を有するハブ３０について説明したが、係止螺旋３９の数は２つに限定されるものではなく、４つ又は６つの係止螺旋が設けられてもよい。４つの場合、雄コネクタを接続するための回転角度はおよそ９０°であり、６つの場合、およそ６０°である。
【００４４】
図５は、逆止弁の他の例を示す断面図である。この逆止弁４６は、雄コネクタの先端管１６（図１参照）を中央孔４６ｈにガイドするための、中央孔４６ｈ側に向かってすぼまるテーパ面４６ａを有している。このような逆止弁によれば、雄コネクタを接続する際、その先端管１６を中央孔４６ｈに挿入し易いという利点がある。
【００４５】
図６は、逆止弁のさらに他の例を示す断面図である。この逆止弁４７は短柱状であり、中心に１つの中央孔４７ｈを有している。逆止弁は、このような比較的単純な形状のものであってもよい。
【００４６】
図７Ａは、雄コネクタの他の例を示す断面図である。この雄コネクタでは、その先端の先端管１７が、他の部位（雄ルアー部１５）と別部材で構成されている。このような構成によれば必要に応じて、先端管１７のみに所定の特性（例えば剛性）を与えることができる。
【００４７】
図７Ｂは、カテーテルハブの他の例を示す断面図である。
図７Ｂに示すように、逆止弁４５は、図２に示した例に対して上下逆向きに配置されていてもよい。この例では、逆止弁４５の弁壁４５ａがカテーテルハブ３０の手前側（図の下側）に位置している。特に限定されるものではないが、雄コネクタ１０がカテーテルハブ３０に接続された状態では、雄コネクタ１０の先端面１５ａが、弁壁４５ａの手前側の面に押し付けられて密着するようになっていてもよい。なお、上記同様、中央孔４５ｈは、例えば、一直線状、十字状、Ｙ字状等の切込みであってもよい。
【００４８】
（第２の実施形態）
図８〜図１３を参照して、雄コネクタとカテーテルハブとの接続構造を変更した例について説明する。図８は本実施形態の医用コネクタ器具の外観斜視図である（接続状態）。図９は接続前の状態を示す外観斜視図である。図１０は、図８の状態に対応する平面図（ａ）及び側面図（ｂ）である。図１１は、図９の状態に対応する平面図である。図１２は、カテーテルハブをその基端側から見た背面図である。図１３は、雄コネクタの雄ルアー部を先端側から見た正面図である。
【００４９】
図８、図９に示すように、このコネクタ器具１０１はカテーテルハブ１３０と、それに接続される雄コネクタ１１０と、を備えている。
【００５０】
カテーテルハブ１３０は、基端側の筒状の胴部１３３と、その胴部１３３から先端側に向かって延び出した先すぼまりのテーパ部１３５と、を有している。胴部１３３の左右両側には、径方向外側に張り出したヒレ部１３８、１３８が形成されている。テーパ部１３５の先端にはカテーテル（不図示）が接続される。
【００５１】
図８〜図１０に示すように、胴部１３３の基端には、ハブ１３０と雄コネクタ１１０とを接続するための、略螺旋状の係止溝１３６が切り込まれている。後述するように、この溝１３６に、雄コネクタ１１０に形成された係止ピン１２２が入って係止することにより、雄コネクタとカテーテルハブとが接続される。図１２に示すように、この係止溝１３６は、ハブ１３０の上側及び下側に１つずつ設けられており、一方の係止溝１３６は他方の係止溝１３６を軸線周りに１８０°回転させた形状となっている。
【００５２】
図１１に示すように、この係止溝１３６は、ハブ１３０の基端から先端側に向かって切り込まれた、なだらかにカーブするガイド面１３６ａと、そのガイド面１３６ａの先端に連なるＲ面１３６ｃと、そのＲ面１３６ｃの端部に連なるストレート面１３６ｂと、を有している。また、溝１３６の入り口部分には、係止ピン１２２（詳細下記）を溝１３６に入れ易くするためにＲ部１３６ｄが形成されている。
【００５３】
ストレート面１３６ｂは、ハブ１３０の軸線に対して直交する方向に形成されている。このようなストレート面１３６ｂが形成されている場合、接続状態（図１０参照）で雄コネクタ１１０に引張り方向の力が加わり係止ピン１２２がストレート面１３６ｂに押し付けられたとしても、回転方向の力が発生しないので、コネクタの接続が緩みにくい。
【００５４】
図１１、図１２に示すように、ハブ１３０の基端面には、半球状の２つの小さい突起１４１が形成されている。これらの突起１４１は、ハブ内孔の左右両側に配置されており、雄コネクタ側の窪み１４２（図９参照、詳細下記）に係止することで接続時のクリック感を出す役割を果たす。
【００５５】
なお、図示は省略するが、雄コネクタ１３０内には、上記実施形態同様、逆止弁４５（図１参照）が配置されている。当然ながら、逆止弁は、図５又は図６に示したようなものであってもよい。
【００５６】
図９に示すように、雄コネクタ１１０は、上記実施形態同様、基端側の胴部１１３と、そこから延び出した雄ルアー部１１５と、を有している。胴部１１３の左右両側には、カテーテルハブ１３０と同様のヒレ部１１８が形成されている。雄ルアー部１１５は、第１の実施形態同様、先端に向かってすぼまるテーパ面となっている（例えば６°）。
【００５７】
胴部１１３の前端面１１９には、上記したハブ側の突起１４１が係止する半球状（一例）の窪み１４２が形成されている。図９では１つしか現れていないが、窪み１４２は、雄ルアー部１１５の左右両側に１つずつ形成されている。また、図１１に示すように、雄ルアー部１１５の先端には、上記実施形態（図３等参照）と同様、先端管１１６が形成されている。先端管１１６は、ハブ１３０内に配置された逆止弁（不図示）の中央孔に挿入される。
【００５８】
図１３に示すように、雄ルアー部１１５の外周面の上下には、ハブ側の溝１３６、１３６に入り込んで係止する係止ピン１２２が形成されている。係止ピン１２２は円柱状であり、縦の中心線Ｌと平行な方向に延び出している。各係止ピン１２２は、ハブの溝１３６に対応して、雄ルアー部１１５の縦の中心線Ｌに対して左右に位置をややずらして配置されている。
【００５９】
上記のように構成された本実施形態の医用コネクタ器具の接続方法について、以下、説明する。
まず、ハブ１３０の先端に取り付けられたカテーテル（不図示）を患者の血管に刺し込む。
【００６０】
次いで、カテーテルハブ１３０に対して雄コネクタ１１０を接続する。
一例として、ハブ１３０のヒレ部１３８、１３８を一方の手で摘んでハブ１３０を押さえつつ、他方の手で雄コネクタ１１０を摘み、雄ルアー部１１５をハブ１３０内に差し込む。この際、雄コネクタ１１０の係止ピン１２２がハブの係止溝１３６に入るように、雄コネクタ１１０は、軸線周りにやや回転した姿勢とされる。
【００６１】
雄コネクタ１１０を差し込んでいくと、係止ピン１２２の外周面が溝１３６のガイド面１３６ａに当接し、同係止ピン１２２が同ガイド面１３６ａにガイドされながら移動する。これにより、雄コネクタ１１０全体がハブ１３０に対してねじ込まれる。
【００６２】
係止ピン１２２が、溝１３６の最奥部のやや手前（係止ピン１２２が溝１３６の奥のストレート面１３６ｂまで到らない程度）まで挿入された時点で、ハブ基端面の各突起１４１の頂部が、雄コネクタ１１０の前端面１１９に当接する。
【００６３】
次いで、この状態から雄コネクタ１１０をさらにひねることで、係止ピン１２２が溝１３６の最奥部（最終的な係止位置）まで移動し、ハブ１３０と雄コネクタ１１０とが接続される。具体的には、雄コネクタ１１０をひねると、各突起１４１の頂部が前端面１１９上を擦れながら動く。係止ピン１２２は、溝１３６内のストレート面１３６ｂの手前の角部１３６ｂ′を乗り越えることによって、最終的な係止位置であるストレート面１３６ｂに到る。係止ピン１２２が角部１３６ｂ′を乗り越えるのとほぼ同時に、ハブの各突起１４１が、雄コネクタ１１０の各窪み１４２に落ち込む。この際にクリック感が得られる。
【００６４】
上記一連の工程により雄コネクタ１１０がハブ１３０に接続されると、図８に示すように、コネクタのヒレ部１１８とハブのヒレ部１３８とが軸線方向に一列に揃う。このような構成の場合、ヒレ部１１８、１３８が一列に揃ったか否かを見ることで、接続が正常に行われたかどうかを確認できる。
また、各ヒレ部１１８、１３８が左右方向（すなわち、被験者の皮膚表面に沿う方向）に張り出しており、全体として平たい形状となっているので、コネクタ器具１０１を患者の皮膚上に固定しやすいという利点もある。
【００６５】
接続を解除するためには、上記とは逆の動作を行えばよい。ここで、本実施形態では、図１０に示すように、ヒレ部１１８、１３８の間に切欠き部１２５（一例として半円状）が形成されているので、各ヒレ部１１８、１３８の摘み易さが向上し、雄コネクタ１１０の取外しも行い易い。
【００６６】
上記の通り、接続状態（図８参照）ではハブの突起１４１が雄コネクタの窪み１４２に嵌っている。よって、雄コネクタ１１０を取り外すためには（ひねるためには）、各突起１４１を各窪み１４２から脱出させるための回転方向の力が必要となる。このような構成によれば、コネクタの接続状態（図８参照）で、例えば雄コネクタ１１０に取外し方向の多少の回転力が加わったとしても、突起１４１が窪み１４２から脱出しない限り雄コネクタ１１０は回転しないため、緩みが生じにくいという利点がある。
【００６７】
なお、以上の接続構造は、他の種々のコネクタにも適用可能である。例えば、カテーテルハブ１３０内に逆止弁が設けられていない医用コネクタ器具とすることも可能である。また、上記に限らず、係止ピン１２２に相当するものがハブ１３０に設けられ、係止溝１３６に相当するものが雄コネクタ１１０に設けられていてもよい。同様に、窪み１４２に相当するものがハブ１３０に設けられ、突起１４１に相当するものが雄コネクタ１１０に設けられてもよい。
【００６８】
以上説明したように、本実施形態によれば、係止ピン１２２と係止溝１３６の作用によりハブ１３０と雄コネクタ１１０とが接続され、接続された状態では、雄コネクタ１１０の雄ルアー部１１５の外周面が、ハブの内孔内周面に良好の密着するので、高い水密シール性を得ることができる。また、突起１４１及び窪み１４２の作用により、接続時のクリック感を得ることができるので、患者が接続が正常に行われたことを確認し易い。突起１４１及び窪み１４２はまた、接続時において、雄コネクタ１１０がハブ１３０に対して回転するのを防止する手段としても機能する。したがって、雄コネクタ１１０又はハブ１３０に不測の回転力が加わったとしても、雄コネクタ１１０がハブ１３０から外れることなく、接続状態が良好に維持される。
【００６９】
なお、上記では、クリック感を出すための突起１４１及び窪み１４２がコネクタの軸線を挟んで左右両側に設けられた例について説明したが、本発明はこれに限定されるものではない。突起１４１及び窪み１４２が、コネクタの軸線を挟んで、左右ではなく上下２箇所に設けられていてもよい。また、突起１４１及び窪み１４２の数についても、２つに限らず適宜変更可能である。
【００７０】
また、図１４に示すように、上記実施形態の医用コネクタ器具に関しヒレ部１３８、１１８（例えば図１１参照）を省略した構成とすることも可能である。図１４の例では、カテーテルハブ１３０′は筒状の胴部１３３′を有し、雄コネクタ１１０′も筒状の胴部１１３′を有する。いずれの胴部１３３′、１１３′にもヒレ部は形成されていない。その他の構成については、図８〜図１３を参照して説明した上記形態のものと同一である。このような構成においても、係止ピン１２２と係止溝１３６とによりハブ１３０′と雄コネクタ１１０′とが良好に接続される点、及び、それぞれに設けられた突起１４１及び窪み１４２の作用により接続時のクリック感を得ることができる点など、上記実施形態と同様の作用効果を得ることができる。
なお、図１５に示すように、ヒレ部１１８を有する雄コネクタ１１０が、ヒレ部を有しないカテーテルハブ１３０′に接続される構成とすることも可能である。
【００７１】
（他の実施形態１）
図１６〜図２１は、雄コネクタとカテーテルハブとの接続構造を変更したさらに他の例を示している。
図１６は、本実施形態のコネクタ器具の接続前の状態を示す斜視図である。図１７は、雄コネクタのみを示す斜視図である。図１８は、カテーテルハブのみを示す斜視図である。なお、図１８では、カテーテルの図示が省略され、さらに、係止リブ２２７（詳細下記）を分かりやすく示すために係止ピン２２２（詳細下記）の先端側の図示が省略されている。
【００７２】
図１６に示すように、このコネクタ器具は、カテーテルハブ２３０と、それに接続される雄コネクタ２１０とを備えている。このコネクタ器具は、ハブ２３０と雄コネクタ２１０との接続構造に主な特徴を有しており、具体的には、ハブ２３０の基端側で径方向外側に延び出した係止ピン２２２（詳細下記）の先端と、ハブ２３０の胴部２３３の一部とが、接続部２２４によって軸方向につながれている。
【００７３】
カテーテルハブ２３０は、上記実施形態の係止ピン１２２（図９参照）と同様の役割を果たす２つの係止ピン２２２を有している（図２０参照）。係止ピン２２２は、ハブの外周に、径方向外側に延び出すように形成されている。一方の係止ピン２２２はハブの外周の上部に設けられ、他方の係止ピン２２２はハブの外周の下部に設けられ、係止ピン２２２どうしは１８０°間隔で配置されている。
【００７４】
図２０に示すように、上部の係止ピン２２２の先端には接続部２２４が形成されており、この接続部２２４は軸方向（図の横方向）に延びている。接続部２２４によって、係止ピン２２２の先端とハブ２３０の胴部２３３の一部とがつながれており、これにより、その内側が係止孔２２９となっている。この係止孔２２９には、後述するように、雄コネクタ２１０の筒状部の係合尖端２３５（図１７参照）が入り込む。
【００７５】
なお、接続部２２４は係止ピン２２２の先端と胴部２３３の一部とをつないで係止孔２２９を形成するものであれば特に限定されるものではなく、その延在方向はハブ２３０の軸方向と平行であってもよいし、多少傾斜していてもよい。
【００７６】
図１８、図２０に示すように、係止孔２２９内の、ハブ先端側の位置には小さいリブ（突起）２２７が形成されている。このリブ２２７は、コネクタの接続状態において、雄コネクタ２１０の係合尖端２３５の内周面に形成された窪み２４２（図１７参照、詳細下記）に入り込んで係合する。なお、図２０に示すように、同様のリブ２２７がハブ２３０の下側にも形成されている。
【００７７】
特に限定されるものではないが、図１８に示すように、この例では、ハブ２３０の胴部２３３の外周に軸方向のリブ２３８が４つ形成されている。また、胴部２３３の上部には、軸方向の他のリブ２４５が形成されている。このリブ２４５の、タブ先端側の一部は、径方向外側に盛り上がった突起部２４５′となっている。このようなリブ２３８や突起部２４５′が設けられているので、作業者は、ハブ２３０が回転しないように該ハブを良好に保持することができる。
【００７８】
なお、図示は省略するが、雄コネクタ２３０内には、上記実施形態同様、逆止弁４５（図１参照）が配置されている。当然ながら、逆止弁は、図５又は図６に示したようなものであってもよい。
【００７９】
図１７に示すように、本実施形態では、雄コネクタ２１０は、その長手方向ほぼ中央に、雄ルアー部をとり囲む筒状部２１１を有しており、この筒状部２１１の上下に略螺旋状の係止溝２３６、２３６が形成されている。各係止溝２３６の形状は、図１１等に示した上記実施形態のものと同様とすることができる。
係止溝２３６よりも図示手前側（雄コネクタの先端側）の部分は係合尖端２３５として示されている。係合尖端２３５の内周面には、径方向に掘り込まれた窪み２４２が形成されている（図２１も参照）。
【００８０】
特に限定されるものではないが、図１７に示すように、雄コネクタ２１０の基端側には該コネクタを持ち易くするための軸方向のリブ２１８が４つに形成されている。雄コネクタ２１０を軸方向から見て、４つのリブ２１８は例えばおおよそ４５°、１３５°、２２５°、３１５°の位置に形成されていてもよい。この場合、雄コネクタ２１０の左右両側にリブ２１８が２つずつ配置されることとなるので、該コネクタをより摘み易くなる。
【００８１】
次に、上記のように構成されたコネクタ器具の接続について説明する。
まず、上記実施形態同様、ハブ２３０の先端に取り付けられたカテーテル（図１６参照）を患者の血管に刺し込む。
【００８２】
次いで、カテーテルハブ２３０に対して雄コネクタ２１０を接続する。一例として、ハブ２３０の胴部２３３を一方の手で摘んでハブ２３０を押さえつつ、他方の手で雄コネクタ２１０を摘み、その雄ルアー部をハブ２３０内に差し込む。この際、雄コネクタ２１０の係止ピン２２２がハブの係止溝２３６に入るように、雄コネクタ２１０は、軸線周りにやや回転した姿勢とされる。
【００８３】
ここで、本実施形態のカテーテルハブ２３０は、図２０に示すように、上側にのみ接続部２２４や突起部２４５′が形成され上下非対象となっている。このような構成によれば、カテーテルハブ２３０の上下を区別し易いので、カテーテルを所定の向きで刺し込む必要がある場合に特に好適である。
【００８４】
再び、コネクタ器具の接続の説明に戻り、雄コネクタ２１０を差し込んでいくと、上記実施形態同様、係止ピン２２２が係止溝２３６内をスライドすることによるガイド作用によって、雄コネクタ２１０全体がハブ２３０に対してねじ込まれる。これと同時に、雄コネクタ２１０の係合尖端２３５（図１７参照）が、ハブの係合孔２２９（図２０参照）に入っていく。
【００８５】
係止ピン２２２が、溝２３６の奥付近まで移動すると、カテーテルハブ２３０のリブ２２７が雄コネクタ２１０の係合尖端２３５の内側の窪み２４２に係合する。リブ２２７が窪み２４２に落ち込む際にクリック感が得られる。また、リブ２２７と窪み２４２とがこのように係合しているので、ハブ２３０と雄コネクタ２１０との接続の緩みも生じにくい。
【００８６】
以上のようにして、カテーテルハブ２３０と雄コネクタ２１０とが接続される。本実施形態の構成によれば、カテーテルハブ２３０の上側の係止ピン２２２のところに接続部２２４が形成されているので、カテーテルハブ２３０の上下を区別し易く、また、雄コネクタ２１０の係合尖端２３５が、接続部２２４によって形成された係合孔２２９内に入って係合するようになっているので、ハブと雄コネクタとがよりしっかりと接続される。
【００８７】
以上、本発明の一例を説明したが、上記の接続構造はカテーテルハブと雄コネクタとを接続する場合に限らず、例えばチューブ同士を接続する場合など、様々な接続に適用できる。また、上記とは逆に、係止溝２３６がカテーテルハブに設けられ、係止ピン２２２が雄コネクタに設けられていてもよい。また、係止ピン２２２は、２つに限らず１つであってもよい。
【００８８】
図２１は図１６の雄コネクタ２１０を先端側から見た模式図であり、網掛け部分は筒状部２１１の端面を示している。
この図に示すように、係止ピン２２２がスライドする係止溝２３６の内壁２３９は、径方向（線Ｌ参照）にストレートな面ではなく、線Ｌに対して傾斜した面となっていてもよい。この場合、係止ピン２２２の外周面と内壁２３９とが点Ａ（筒状部２１１の外周側に位置する）において点接触することとなる。このように接触面積が小さい場合、係止ピン２２２と内壁２３９とが良好に摺動するので、コネクタの接続または取外しをよりスムーズに行うことができる。このような溝の傾斜は、溝２３６のガイド面（１３６ａ、図１１参照）の全体にわたって形成されていてもよい。当然ながら、このような溝の傾斜を、図８等に示した係止溝１３６に適用することもできる。
【００８９】
（他の実施形態２）
図２２〜図２８を参照して、雄コネクタとカテーテルハブとの接続構造のさらに他の例について説明する。図２２は、本実施形態のコネクタ器具の接続前の状態を示す斜視図である。
【００９０】
図２２に示すように、このコネクタ器具は、カテーテルハブ３３０と、それに接続される雄コネクタ３１０とを備えている。このコネクタ器具は、ハブ３３０と雄コネクタ３１０との接続構造が変更されている点、および、カテーテルハブ３３０内の逆止弁３４５の形状等が変更されている点（図２５参照、詳細下記）で上記実施形態と異なっている。
【００９１】
まず、逆止弁３４５について、図２４、図２５を参照して説明する。
図２５（ａ）に示すように、逆止弁３４５は、第１の実施形態と同様、円筒形の筒部３４５ｂと、その長手方向の端部付近に設けられ半径方向に拡がる弁壁３４５ａとを有し、全体として有底筒状に形成されている。なお、弁壁３４５ａは、筒部３４５ｂの端部ではなく、端部よりやや内側のところに設けられている（本明細書では、このような形状を含めて「有底筒状」という）。
【００９２】
弁壁３４５ａは、カテーテルハブ３３０の内孔の入口側に位置している。逆止弁３４５がこのような向きで配置されているので、雄コネクタ３３０内部の、弁壁３４５ａより上流側の空間３３２ａの大きさが十分に確保される。空間３３２ａが大きく形成されている場合、カテーテル２を通じて被験者の血液が逆流してきたとしても該空間３３２ａ内が血液で充たされるまでには比較的長い時間かかることとなる。このような構成によれば、血液が外部へ漏出するおそれがより低減するので有利である。
【００９３】
なお、この例では、図２５（ａ）に示すように、弁壁３４５ａの厚みは一定ではない。弁壁３４５ａは、中心の厚みが最も厚い、平たい山型の断面形状となっている。
【００９４】
上記実施形態同様、この弁壁３４５ａの中心（軸方向から見た中心）には１つの中央孔３４５ｈが形成されており、この中央孔３４５ｈに、雄コネクタの雄ルアー部３１５先端に設けられた先端管３１７が挿入されるようになっている（図２４参照）。雄ルアー部３１５は、逆止弁３４５の形状及び配置に対応して、上記実施形態のもの（例えば図１参照）よりも短く形成されている。
【００９５】
図２５（ａ）示すように、逆止弁の筒部３４５ｂの入口側（図の左側）の端部には、テーパ面３４５ｓが形成されている。図２４に示すように、雄コネクタを接続した状態では、このテーパ面３４５ｓが雄コネクタのルアー部３１５の先端外周面に密着するようになっている。
このような構成によればこの密着作用により、この部分でもシール性が確保されるので、血液等が外部に漏出する可能性をより低減させることができる。
【００９６】
次に、図２６〜図２８を参照して接続構造について説明する。
本実施形態では、図２７に示すように、略螺旋状の係止溝３３６の周壁の一部に、片持ち梁状の延出部３３９が形成されている。延出部３３９は、溝３３６の入口付近にその基端部が位置しており、溝の奥に向かって延び出している。延長部３３９は溝３３６の形状を画定する部材でもあり、溝３３６が全体として略螺旋状になるように、なだらかにカーブしている。延長部３３９の先端３３９ａは、溝の奥に向かって（図２７では下側）軸方向に突出している。
【００９７】
図２７（ｄ−２）に示すように、この延長部の先端３３９ａに対向する位置は、該延長部３３９側に向かって軸方向に突出した突起部３３６ａが形成されている。この突起部３３６ａおよび延長部の先端３３９ａは、後述するように、係止ピン３２２（図２８参照）をロックする役割を果たす。
【００９８】
図２６（ｄ−２）に示すように、この実施形態では、係止ピン３２２の輪郭形状も変更されており、具体的には、係止ピン３２２の輪郭のうち上側（延長部３３９と対向する側）の左右両側にテーパ部３２２ａ、３２２ｂが形成されている。２つのテーパ部３２２ａ、３２２ｂにより、ピン３２２の輪郭が部分的に山型となっている。
なお、図２６（ｄ−２）に示されているのはカテーテルハブ３１０の下側のピンであるが、上側のピン３２２もこれと同様の断面形状に形成されている。
【００９９】
次に、上記のように構成された本実施形態のコネクタの接続方法について説明する。
まず、上記実施形態と同様、ハブ３３０の先端に取り付けられたカテーテルを患者の血管に刺し込む。
【０１００】
次いで、カテーテルハブ３３０に対して雄コネクタ３１０を接続する。基本的な接続手順については上記した実施形態（図１６参照）と同様であるので、ここでは、図２８を参照して、係止ピン３２２が溝３３６内でスライドする様子を中心に説明する。なお、図示および説明の都合上、図２８（ａ）〜（ｃ）ではいずれも係止ピン３２２をその正面側から見た状態で示している。
【０１０１】
まず、図２８（ａ）に示すように、雄コネクタ（３１０）をハブ（３３０）に差し込んでいくことにより係止ピン３２２が溝３３６の奥へとガイドされながら移動する。
【０１０２】
次いで、図２８（ｂ）の状態まで移動すると、係止ピン３２２の外周のテーパ部３２２ａと延出部の先端３３９ａとが当接すると共に、係止ピン３２２の外周左下の一部と溝内の突起３３６ａとが当接する。
【０１０３】
次いで、その状態から雄コネクタをハブに対してさらにねじ込むと、係止ピン３２２が突起３３６ａに乗り上がり、かつ、延長部３３９が係止ピン３２２に押されて上方に弾性的に変形する。
そして、延長部３３９の先端３３９ａがテーパ３２２ａと３２２ｂとにより形成された山型の頂部を越えると、ピン３２２は、図２８（ｃ）に示すように溝の最奥部３３７に係止される。
【０１０４】
この状態では、延長部３３９が元の形状に復元しており、延長部３３９の先端３３９ａおよび突起３３６ａの作用により、係止ピン３２２がその位置にロックされる。具体的には、延長部の先端３３９ａがテーパ面３２２ｂに略当接し、下側の突起３３６ａが係止ピン３２２の外周面の右斜め下に略当接する。なお「略当接」とは、必ずしも当接している必要はないこと意図する。
【０１０５】
コネクタを外す際には、上記とは逆の方向に雄コネクタ３１０をねじればよく、ロックを解除するための特別な手段や操作を要することなく、簡単にコネクタを外すことができる。
以上説明したような本実施形態の構成によれば、延長部３３９が撓むようになっているので、ロックする際のクリック感を向上させることができ、コネクタが確実にロックされたことを手の感触でより確認しやくすくなる点で有利である。
【０１０６】
なお、以上、本発明の幾つかの実施形態について図面を参照して説明したが、各実施形態で説明したそれそれの特徴的部分を適宜組み合わせることが可能である。例えば、図２５に示したような逆止弁３４５の配置は、それ自体で所定の作用効果を得ることができるものであり、図２５のようなコネクタに限らず、上記したような実施形態にも用いることができる。
【符号の説明】
【０１０７】
１、１０１  医用コネクタ器具
２  カテーテル
１０、１１０、１１０′、２１０、３１０  雄コネクタ
１５、１１５、２１５、３１５  雄ルアー部
１６、１７、１１６、３１７  先端管
１９  突起
３０、１３０、１３０′、２３０、３３０  カテーテルハブ
３２  雌ルアー面
３９  係止螺旋
４５、４６、４７、３４５  逆止弁
４５ｈ、３４５ｈ  中央孔
１１８  ヒレ部
１１９  前端面
１２２、２２２、３２２  係止ピン
１３２  凹部
１３６、２３６、３３６  係止溝
１３８  ヒレ部
１４１  突起
１４２、２４２  窪み
２１１  筒状部
２１８  リブ
２２４  接続部
２２７、２３８、２４５  リブ
２２９  係合孔
３３７  最奥部
３３９  延長部
【図１】
2010010870.tif 000003
【図２】
2010010870.tif 000004
【図３】
2010010870.tif 000005
【図４】
2010010870.tif 000006
【図５】
2010010870.tif 000007
【図６】
2010010870.tif 000008
【図７Ａ】
2010010870.tif 000009
【図７Ｂ】
2010010870.tif 000010
【図８】
2010010870.tif 000011
【図９】
2010010870.tif 000012
【図１０】
2010010870.tif 000013
【図１１】
2010010870.tif 000014
【図１２】
2010010870.tif 000015
【図１３】
2010010870.tif 000016
【図１４】
2010010870.tif 000017
【図１５】
2010010870.tif 000018
【図１６】
2010010870.tif 000019
【図１７】
2010010870.tif 000020
【図１８】
2010010870.tif 000021
【図１９】
2010010870.tif 000022
【図２０】
2010010870.tif 000023
【図２１】
2010010870.tif 000024
【図２２】
2010010870.tif 000025
【図２３】
2010010870.tif 000026
【図２４】
2010010870.tif 000027
【図２５】
2010010870.tif 000028
【図２６】
2010010870.tif 000029
【図２７】
2010010870.tif 000030
【図２８】
2010010870.tif 000031
【国際調査報告】
2010010870.tif 000032
2010010870.tif 000033
2010010870.tif 000034
2010010870.tif 000035